(57)【要約】【課題】組立作業性がよく、設計の自由度を向上できる炊飯器を提供する。【解決手段】操作基板１９のカバー３２を、スイッチ２０に対応する貫通孔３５および少なくとも液晶表示２１に対応する切欠部３６を備えた不透明な第１カバー部材３３と、切欠部３６に対応する透明な第２カバー部材４１とで構成し、これら第１カバー部材３３と第２カバー部材４１とを装着した状態で、これらを炊飯器本体１１または蓋体５４に外部から装着して固定する。また、操作基板１９との間に、透明な防水シート４６を配設するとともに、防水シート４６におけるカバー３２の透明部分に対応する位置に制御する機能の表示４９〜５１を設ける。【選択図】図３
2005152116.tif 000002
【特許請求の範囲】
【請求項１】
炊飯鍋を着脱可能に収容する炊飯器本体と、該炊飯器本体に開閉可能に取り付けた蓋体とを備え、前記炊飯器本体または蓋体に、スイッチおよび液晶表示を有する操作基板を設けた炊飯器において、
前記操作基板のカバーを、前記スイッチに対応する貫通孔および少なくとも前記液晶表示に対応する切欠部を備えた不透明な第１カバー部材と、前記切欠部に対応する透明な第２カバー部材とで構成し、これら第１カバー部材と第２カバー部材とを装着した状態で、これらを炊飯器本体または蓋体に外部から装着して固定するようにしたことを特徴とする炊飯器。
【請求項２】
前記第１カバー部材の切欠部の下端に保持部を突設し、該保持部上における前記切欠部の端面に位置決め孔を設けるとともに、前記第２カバー部材に前記位置決め孔に挿入する位置決め突部を設け、第１カバー部材に対して第２カバー部材をスライドさせて配設するようにしたことを特徴とする請求項１に記載の炊飯器。
【請求項３】
炊飯鍋を着脱可能に収容する炊飯器本体と、該炊飯器本体に開閉可能に取り付けた蓋体とを備え、前記炊飯器本体または蓋体に、スイッチおよび液晶表示を有する操作基板を設けた炊飯器において、
前記操作基板のカバーは、少なくとも前記液晶表示に対応する位置が透明で、前記炊飯器本体または蓋体に外部から装着して固定する構成とし、前記操作基板との間に、透明な防水シートを配設するとともに、該防水シートにおける前記カバーの透明部分に対応する位置に制御する機能の表示を設けたことを特徴とする炊飯器。
【発明の詳細な説明】
【技術分野】
【０００１】
本発明は炊飯器に関し、特に、炊飯器の蓋体の構造に関するものである。
【背景技術】
【０００２】
この種の炊飯器は、炊飯鍋を着脱可能に収容する炊飯器本体と、該炊飯器本体に開閉可能に取り付けた蓋体とを備え、前記炊飯器本体または蓋体に、スイッチおよび液晶表示を有する操作基板が設けられている。
【０００３】
このような操作基板が設けられた本発明の炊飯器に関連する先行技術文献情報としては次のものがある。
【０００４】
【特許文献１】特開平６−１３３８５２号公報
【特許文献２】特開平８−４５１号公報
【０００５】
特許文献１の炊飯器では、炊飯器本体の正面に、スイッチおよび液晶表示を露出させるための開口が設けられている。そして、この開口には、前記スイッチおよび液晶表示を設けた操作基板と表面を覆うカバーとが炊飯器本体の内部から配設され、その操作基板を炊飯器本体にネジ止めすることにより組み立てている。
【０００６】
特許文献２の炊飯器では、炊飯器本体の正面にスイッチおよび液晶表示のカバーを配設する開口が設けられている。そして、この開口には、スイッチおよび液晶表示の基板が炊飯器本体の内部から配設されるとともに、前記液晶表示と対応する部分を透明に２色形成したカバーが外部から配設され、炊飯器本体の内部からネジ止めすることにより組み立てている。
【発明の開示】
【発明が解決しようとする課題】
【０００７】
しかしながら、特許文献１の炊飯器では、炊飯器本体の内部から全ての部品を装着する必要があるため、組立作業性が悪いという問題がある。一方、特許文献２の炊飯器では、内外の両方から組み付けが可能であるため、組立作業性は良いが、カバーは成形するために、使用する樹脂材料を含む設計の自由度が低いという問題がある。
【０００８】
そこで、本発明では、組立作業性がよく、設計の自由度を向上できる炊飯器を提供することを課題とするものである。
【課題を解決するための手段】
【０００９】
前記課題を解決するため、本発明の第１の炊飯器は、炊飯鍋を着脱可能に収容する炊飯器本体と、該炊飯器本体に開閉可能に取り付けた蓋体とを備え、前記炊飯器本体または蓋体に、スイッチおよび液晶表示を有する操作基板を設けた炊飯器において、前記操作基板のカバーを、前記スイッチに対応する貫通孔および少なくとも前記液晶表示に対応する切欠部を備えた不透明な第１カバー部材と、前記切欠部に対応する透明な第２カバー部材とで構成し、これら第１カバー部材と第２カバー部材とを装着した状態で、これらを炊飯器本体または蓋体に外部から装着して固定する構成としている。
【００１０】
この炊飯器では、前記第１カバー部材の切欠部の下端に保持部を突設し、該保持部上における前記切欠部の端面に位置決め孔を設けるとともに、前記第２カバー部材に前記位置決め孔に挿入する位置決め突部を設け、第１カバー部材に対して第２カバー部材をスライドさせて配設することが好ましい。
【００１１】
また、本発明の第２の炊飯器は、炊飯鍋を着脱可能に収容する炊飯器本体と、該炊飯器本体に開閉可能に取り付けた蓋体とを備え、前記炊飯器本体または蓋体に、スイッチおよび液晶表示を有する操作基板を設けた炊飯器において、前記操作基板のカバーは、少なくとも前記液晶表示に対応する位置が透明で、前記炊飯器本体または蓋体に外部から装着して固定する構成とし、前記操作基板との間に、透明な防水シートを配設するとともに、該防水シートにおける前記カバーの透明部分に対応する位置に制御する機能の表示を設ける構成としている。
【発明の効果】
【００１２】
第１の発明の炊飯器では、操作基板のカバーを外部から装着するため、組立作業性の向上を図ることができる。また、カバーは、不透明な第１カバー部材と、少なくとも液晶表示に対応する透明な第２カバー部材とからなるため、使用する材料を含む設計の自由度を向上することができる。ここで、液晶表示の表示状態は、カバーの質感に依存するため、特許文献２の構成では不透明な部分だけをシボ加工して装飾を施すことはできなかったが、本発明では可能である。
【００１３】
また、第１の発明では、第１カバー部材に対して第２カバー部材をスライドさせて装着する構成としているため、その組立作業性を向上できる。
【００１４】
第２の発明の炊飯器では、第１の発明と同様に、操作基板のカバーを外部から装着するため、組立作業性の向上を図ることができる。また、カバーと操作基板との間に透明な防水シートを配設し、該防水シートに制御する機能の表示を設けるため、設計の自由度を向上することができる。ここで、制御する機能の表示は、従来では前記カバーの透明部分に印刷などによって設けていたため、同一の構造（型式）であっても炊飯可能なメニューが異なる場合にはカバー自体を変更する必要があったが、本発明では安価な防水シートのみを変更すればよい。
【発明を実施するための最良の形態】
【００１５】
以下、本発明の実施の形態を図面に従って説明する。
【００１６】
図１から図４は、本発明の実施形態に係る炊飯器を示す。この炊飯器は、炊飯鍋１０と、該炊飯鍋１０を着脱可能に収容する炊飯器本体１１と、該炊飯器本体１１に回動可能に取り付けられる蓋体５４とからなる。
【００１７】
前記炊飯鍋１０は、熱伝導率が高いアルミ等からなる鍋母材の外面に、本実施形態の加熱手段である誘導加熱コイルへの高周波電流の通電時に生じる渦電流によって電磁誘導加熱される強磁性材料をコーティングや接合等を施したものである。
【００１８】
前記炊飯器本体１１は、筒状をなす胴体１２と、該胴体１２の下端開口を閉塞する底体１３と、前記胴体１２の上端開口の外周部を閉塞する肩体１４と、該肩体１４の中央開口に配設した胴リング１５と、該胴リング１５の下端に配設した前記炊飯鍋１０を収容する非導電性材料からなる保護枠１６とを備えている。胴体１２と保護枠１６との間には、図示しない加熱手段である誘導加熱コイルと、炊飯鍋用温度センサと、マイコンを実装した制御基板とが配設されている。この炊飯器本体１１の背面側上部（図１中右側上部）には、蓋体５４を開閉可能に取り付けるためのヒンジ受部１７が設けられている。このヒンジ受部１７には、金属製のヒンジ金具１８が配設されている。
【００１９】
また、本実施形態の炊飯器本体１１には、その正面である前端上部、具体的には、肩体１４の正面上部に操作基板配設部２２が設けられている。この操作基板配設部２２には、肩体１４内に操作基板１９が配設され、外部にカバー３２が配設されるとともに、操作基板配置部とカバー３２との間に防水シート４６が配設されている。
【００２０】
まず、前記操作基板１９には、「炊飯」，「予約」，「メニュー」，「△(アップ)」，「▽(ダウン)」，「とりけし」および「保温」の操作を行う７個のスイッチ２０が設けられている。また、操作基板１９の略中央には、所定の炊飯機能を示す文字、および、現在時刻や予約時刻を示すための数字が設けられたセグメント表示方式の液晶表示２１が設けられている。さらに、炊飯制御の実行状態、保温制御の実行状態、および、予約中であることを示すＬＥＤ（図示せず）が設けられている。
【００２１】
図３に示すように、肩体１４の操作基板配設部２２には、その中央に矩形状をなす液晶表示２１を露出するための貫通孔２３が設けられている。また、この貫通孔２３の下部を囲むように各スイッチ２０に対応する７個のスイッチ押圧部２４ａ〜２４ｇが設けられている。そのうち、スイッチ押圧部２４ａ〜２４ｆは、円形状の貫通孔の内部に同心の押圧部２５が設けられ、この押圧部２５の一部を連続部２６により連続させた構成としている。また、スイッチ押圧部２４ｇは、炊飯スイッチを押圧する大径のもので、円形状の貫通孔の内部に同心の押圧部２７が設けられ、この押圧部２７の対向する外周部を一対の連続部２８により連続させた構成としている。さらに、操作基板配設部２２には、操作基板１９のＬＥＤと対応する貫通孔２９が設けられている。さらにまた、操作基板１９のネジ孔（図示せず）と対応するネジ止め用の凹部３０が設けられ、炊飯器本体１１の内部から操作基板１９を配置した状態で、外側からネジ止めして操作基板１９を固定する構成としている。さらに、操作基板配設部２２の外周部には、所定間隔をもって４つの被係合部３１が設けられている。
【００２２】
前記操作基板配置部の上部を覆うカバー３２は、図３および図４に示すように、不透明な樹脂からなる第１カバー部材３３と、透明な樹脂からなる第２カバー部材４１とからなる。
【００２３】
前記第１カバー部材３３は、不透明な樹脂材料を円弧形状をなすように形成したもので、前記スイッチ押圧部２４ａ〜２４ｇに対応する部分には、該スイッチ押圧部２４ａ〜２４ｇ上に配置する操作ボタン３４を挿通して位置決め配置する貫通孔３５が設けられている。また、液晶表示２１（貫通孔２３）と対応する部分には、該液晶表示２１より大きい切欠部３６が半円形状に形成されている。この切欠部３６の下端には、内向きに突出する保持部３７が設けられている。また、この保持辺上に位置する切欠部３６の前側端面には、一対の位置決め孔３８が設けられている。さらに、切欠部３６の後端には、外向きに切り欠いた挿通部３９が設けられている。さらにまた、この第１カバー部材３３の下端縁には、前記被係合部３１に対応する係合部４０が設けられている。
【００２４】
前記第２カバー部材４１は、透明な樹脂材料を前記切欠部３６の形状に対応する半円形状に形成したもので、その前端には位置決め孔３８に対応する一対の第１位置決め突部４２が設けられている。また、前記挿通部３９に挿通される第２位置決め突部４３が設けられている。この第２位置決め突部４３には、下向きに突出して前記操作基板配設部２２の縁に係止することにより離脱を防止するストッパ部４４が設けられている。また、この第２カバー部材４１の内面には、パット印刷などによって外枠と型番などを表記する着色部４５が設けられている。ここで、前記パット印刷は、シリコンパットによって樹脂成型品に直接印刷するものである。
【００２５】
前記防水シート４６は、前記カバー３２の隙間から侵入した水が前記スイッチ押圧部２４ａ〜２４ｇなどから侵入するのを防止するためのもので、透明な樹脂フィルムからなる。この防水シート４６には、前記第２カバー部材４１の着色部４５内に位置するように、印刷により着色した装飾部４７が設けられている。この装飾部４７の内部には、液晶表示２１に対応した着色していない窓部４８が設けられている。また、装飾部４７には、制御する機能に対応する文字からなる炊飯表示部４９、保温表示部５０および予約表示部５１が設けられている。また、これら表示部４９〜５１に隣接するとともにＬＥＤに対応する部分には、各ＬＥＤの光を透過する透過部５２が設けられている。さらに、予約表示部５１の下部には、炊飯器の加熱手段の方式を示すＩＨ表示部５３が設けられている。さらにまた、本実施形態の防水シート４６は、各スイッチ押圧部２４に対応する部分の肉厚が厚くなるように形成されている。
【００２６】
前記蓋体５４は、図１に示すように、前記炊飯器本体１１に開閉可能に取り付けられ、この炊飯器本体１１の開口部を閉塞するもので、上板５５と、該上板５５に対して一体に取り付けられる下板５６と、該下板５６の底面に着脱可能に装着され炊飯鍋１０の開口部を密閉する内蓋５７とからなる。また、この蓋体５４には、その前端に開放用の操作部材５８と、該操作部材５８に連動するロック機構とが配設されている。前記ロック機構は、付勢手段によって後退した位置に付勢されるとともに前記内蓋５７の装着により進出するスライド部材５９と、該スライド部材５９の移動に連動するとともに前記操作部材５８の操作により後退するロック部材６０とからなる。
【００２７】
このように構成した炊飯器の表示パネルは、操作基板１９を炊飯器の内部から配置した状態で、操作基板配設部２２の外側からネジ止めすることにより、操作基板１９を固定する。その後、操作基板配設部２２上に防水シート４６を配設した後、第１カバー部材３３に対して第２カバー部材４１を装着する。この際、第２カバー部材４１は、第１カバー部材３３の保持部３７上に載置し、スライドさせることにより、第２カバー部材４１の第１位置決め突部４２を第１カバーの位置決め孔３８に挿入するとともに、挿通部３９に第２位置決め突部４３を挿通させる。このように、本実施形態では、第１カバー部材３３に対して第２カバー部材４１をスライドさせて装着する構成としているため、その組立作業性を向上できる。
【００２８】
このようにして第２カバー部材４１を第１カバー部材３３に装着した状態で、第１カバー部材３３の貫通孔３５に操作ボタン３４を挿入するとともに、操作基板配設部２２上に配置する。そして、第１カバー部材３３の係合部４０を操作基板配設部２２の被係合部３１に係合させることにより離脱不可能に固定する。
【００２９】
この組立状態では、第１カバー部材３３は、その係合部４０と操作基板配設部２２の被係合部３１との係合により、離脱することを防止できる。また、第２カバー部材４１は、各位置決め突部４２，４３が第１カバー部材３３の位置決め孔３８および挿通部３９に挿入されているため、上側から離脱することを防止できる。さらに、第２位置決め突部４３には、下向きに突出して基板配設部の縁に係合するストッパ部４４が設けられているため、蓋体５４を炊飯器本体１１に対して開放した状態で後向きにスライドして離脱することを防止できる。
【００３０】
このように、本実施形態の炊飯器では、操作基板１９を炊飯器本体１１に対して内部から装着して固定するとともに、カバー３２を外部から装着するため、組立作業性の向上を図ることができる。
【００３１】
また、カバー３２は、不透明な第１カバー部材３３と、透明な第２カバー部材４１とからなるため、使用する材料を含む設計の自由度を向上することができる。即ち、液晶表示２１の表示状態は、カバー３２の質感に依存するため、２色成形によるカバーでは不透明な部分だけをシボ加工して装飾を施すことはできなかったが、本実施形態では可能である。そのため、設計の自由度および装飾性の向上を図ることができる。
【００３２】
さらに、本実施形態では、カバー３２と操作基板１９との間に透明な防水シート４６を配設しており、この防水シート４６に制御する機能の表示部４９〜５１を設けるため、設計の自由度を向上することができる。即ち、従来ではこのような表示部は、前記カバーの透明部分に印刷などによって設けていたため、同一の構造（型式）であっても炊飯可能なメニューが異なる場合にはカバー自体を変更する必要があったが、本実施形態では安価な防水シート４６のみを変更すればよい。しかも、厚い樹脂成型品に印刷を施す場合と比較して、薄い防水シート４６に対して印刷を施すのは簡単かつ自由度は広いため、この点からも設計の自由度および装飾性の向上を図ることができる。
【００３３】
なお、本発明の炊飯器は、前記実施形態の構成に限定されるものではなく、種々の変更が可能である。
【００３４】
例えば、前記実施形態では、スイッチおよび液晶表示２１を備えた操作基板１９を炊飯器本体１１に搭載する構成としたが、蓋体５４に搭載する構成としてもよい。
【図面の簡単な説明】
【００３５】
【図１】本発明の実施形態に係る炊飯器を示す部分断面図である。
【図２】図１の要部拡大断面図である。
【図３】操作基板配設部のカバーを示す分解斜視図である。
【図４】操作基板配設部を他の方向から見た分解斜視図である。
【符号の説明】
【００３６】
１０…炊飯鍋、１１…炊飯器本体、１９…操作基板、２０…スイッチ、２１…液晶表示、２２…操作基板配設部、３２…カバー、３３…第１カバー部材、３５…貫通孔、３６…切欠部、３７…保持部、３８…位置決め孔、３９…挿通部、４１…第２カバー部材、４２…第１位置決め突部、４３…第２位置決め突部、４４…ストッパ部、４６…防水シート、４９〜５１…表示部、５４…蓋体。
【図１】
2005152116.tif 000003
【図２】
2005152116.tif 000004
【図３】
2005152116.tif 000005
【図４】
2005152116.tif 000006